(57)【要約】【課題】本発明は、簡単な構成で室内温度に応じて回転速度を調節することができる天井扇風機を供給することを目的とするものである。【解決手段】天井に固定された連結部と、この連結部の下部に回転軸を垂直にして配置した電動機３と、この電動機３の下部には、周囲温度を検知する温度検知器６とこの温度検知器の検知した温度により室温を推定して前記電動機３を駆動する制御部７とを備え、制御部７が温度検知器の検知した温度により室内温度を推定して電動機３を駆動することで、簡単な構成で室温に応じて回転速度を調節することができる天井扇風機を供給することができる。【選択図】図３
2010180813.tif 000002
【特許請求の範囲】
【請求項１】
天井に固定された連結部と、この連結部の下部に回転軸を垂直にして配置した電動機と、この電動機の下部には、周囲温度を検知する温度検知器と、この温度検知器の検知した温度により室温を推定して前記電動機を駆動する制御部とを備えた天井扇風機。
【請求項２】
制御部は、運転開始からの経過時間に応じて温度検知器で検知した温度に補正を加える温度補正部を備えた請求項１記載の天井扇風機。
【請求項３】
制御部は、運転停止からの経過時間に応じて温度検知器で検知した温度に補正を加える温度補正部を備えた請求項１記載の天井扇風機。
【請求項４】
制御部は、運転停止から所定時間内は、温度検知を行なわないことを特徴とする請求項１記載の天井扇風機。
【請求項５】
一定時間ごとに検知した室内温度の推定値同士を比較して、その変化にもとづいて電動機の運転ノッチ上げ下げする駆動部を備えた請求項１記載の天井扇風機。
【請求項６】
室内温度の推定値が所定の温度以上変化したときに切り替える電動機の運転ノッチ数を決定するノッチ補正部を備えた請求項５記載の天井扇風機。
【請求項７】
電動機の運転ノッチは、あらかじめ設定した電動機の運転ノッチとその運転ノッチで運転を開始したときの室内温度の推定値に対応する体感温度を維持するように上げ下げするノッチ補正部を備えた請求項５記載の天井扇風機。
【発明の詳細な説明】
【技術分野】
【０００１】
本発明は、建物の天井に取り付けて室内の空気を循環させる天井扇風機に関する。
【背景技術】
【０００２】
例えば、この種の天井扇風機の構成は、以下のようになっていた。
【０００３】
すなわち、天井に固定される連結金具と、この連結金具に吊り下げ手段を介して吊り下る天井扇風機本体とからなる構成であった。
【０００４】
そして、これに類似する先行文献としては特許文献１、特許文献２に記載されている。
【特許文献１】特開平１０−１７０１７６号公報
【特許文献２】特開昭６３−１７９９号公報
【発明の開示】
【発明が解決しようとする課題】
【０００５】
上記従来の天井扇風機では、快適性を実現するために温度検知器を設けて室内温度を計測して、この温度に応じて、天井扇風機の回転速度を調節するものが考えられている。
【０００６】
そして前記温度検知器は、室内の壁に設けた天井扇風機の操作スイッチとともに配置して天井扇風機の回転速度を調節することができる。
【０００７】
しかしながら、壁に温度検知器を設けることは、天井扇風機と温度検知器との配線が必要であったり、無線コントロールを備えたりして、天井扇風機が複雑になってしまう。
【０００８】
そこで、本発明は、簡単な構成で室内温度に応じて回転速度を調節することができる天井扇風機を供給することを目的とするものである。
【課題を解決するための手段】
【０００９】
そして、この目的を達成するために本発明は、天井に固定された連結部と、この連結部の下部に回転軸を垂直にして配置した電動機と、この電動機の下部には、周囲温度を検知する温度検知器と、この温度検知器の検知した温度により室内温度を推定して前記電動機を駆動する制御部とを備えたものである。
【００１０】
また、制御部は、運転開始からの経過時間に応じて温度検知器で検知した温度に補正を加える温度補正部を備えたものである。
【００１１】
また、制御部は、運転停止からの経過時間に応じて温度検知器で検知した温度に補正を加える温度補正部を備えたものである。
【００１２】
また、制御部は、運転停止から所定時間内は、温度検知を行なわないことを特徴とするものである。
【００１３】
また、一定時間ごとに検知した室内温度の推定値同士を比較して、その変化にもとづいて電動機の運転ノッチ上げ下げする駆動部を備えたものである。
【００１４】
また、室内温度の推定値が所定の温度以上変化したときに切り替える電動機の運転ノッチ数を決定するノッチ補正部を備えたものである。
【００１５】
また、電動機の運転ノッチは、あらかじめ設定した電動機の運転ノッチとその運転ノッチで運転を開始したときの室内温度の推定値に対応する体感温度を維持するように上げ下げするノッチ補正部を備えたものである。
【発明の効果】
【００１６】
以上のように本発明は、天井に固定された連結部と、この連結部の下部に回転軸を垂直にして配置した電動機と、この電動機の下部には、周囲温度を検知する温度検知器と、この温度検知器の検知した温度により室温を推定して前記電動機を駆動する制御部とを備えた天井扇風機であり、制御部が温度検知器の検知した温度により室内温度を推定して電動機を駆動することで、簡単な構成で室温に応じて回転速度を調節することができる天井扇風機を供給するという所期の目的を達成するものである。
【発明を実施するための最良の形態】
【００１７】
本発明の請求項１記載の発明は、天井に固定された連結部と、この連結部の下部に回転軸を垂直にして配置した電動機と、この電動機の下部には、周囲温度を検知する温度検知器とこの温度検知器の検知した温度により室内温度を推定して前記電動機を駆動する制御部とを備えたものであり、制御部が温度検知器の検知した温度により室温を推定して電動機を駆動することで、簡単な構成で室温に応じて回転速度を調節することができる天井扇風機を供給するという所期の目的を達成するものである。
【００１８】
また、請求項２記載の発明は、制御部は、運転開始からの経過時間に応じて温度検知器で検知した温度に補正を加える温度補正部を備えたものであり、制御部は、温度補正部により運転開始からの経過時間に応じて温度検知器で検知した温度に補正を加えて、室内温度を推定して、電動機を駆動することで、簡単な構成で室温に応じて回転速度を調節することができる天井扇風機を供給するという所期の目的を達成するものである。
【００１９】
また、請求項３記載の発明は、制御部は、運転停止からの経過時間に応じて温度検知器で検知した温度に補正を加える温度補正部を備えたものであり、制御部は、温度補正部により運転の停止からの経過時間に応じて温度検知器で検知した温度に補正を加えて、室内温度を推定して、次の電動機の運転開始時に電動機を駆動することで、簡単な構成で室温に応じて回転速度を調節することができる天井扇風機を供給するという所期の目的を達成するものである。
【００２０】
また、請求項４記載の発明は、制御部は、運転停止から所定時間内は、温度検知を行なわないことを特徴とするものであり、運転停止直後の急激な温度変化の影響を排除して室温を推定することとなり、簡単な構成で室温に応じて回転速度を調節することができる天井扇風機を供給するという所期の目的を達成するものである。
【００２１】
また、請求項５記載の発明は、一定時間ごとに検知した室内温度の推定値同士を比較して、その変化にもとづいて電動機の運転ノッチ上げ下げする駆動部を備えたものであり、一定時間ごとに検知した室内温度の推定値同士を比較することでその変化を検出することができ、その変化にもとづいて電動機の運転ノッチの調節を行なうことができ、簡単な構成で室温に応じて回転速度を調節することが出来る天井扇風機を供給すると言う所期の目的を達成するものである。
【００２２】
また、請求項６記載の発明は、室内温度の推定値が所定の温度以上変化したときに切り替える電動機の運転ノッチ数を決定するノッチ補正部を備えたものであり、ノッチ補正部が室内温度の推定値の温度変化の応じて切り替える電動機の運転ノッチ数を決定して、電動機の運転ノッチを切り替えることとなり、簡単な構成で室温に応じて回転速度を調節することが出来る天井扇風機を供給すると言う所期の目的を達成するものである。
【００２３】
また、請求項７記載の発明は、電動機の運転ノッチは、あらかじめ設定した電動機の運転ノッチとその運転ノッチで運転を開始したときの室内温度の推定値に対応する体感温度を維持するように上げ下げするノッチ補正部を備えたものであり、室内温度が変化してもノッチ補正部は設定した電動機の運転ノッチにでの体感温度を維持するように運転ノッチを補正することとなり、簡単な構成で室温に応じて回転速度を調節することが出来る天井扇風機を供給すると言う所期の目的を達成するものである。
【００２４】
以下、本発明の実施の形態について図面を参照しながら説明する。
【００２５】
（実施の形態１）
図１に示すように天井扇風機は、天井に取り付けられている。
【００２６】
天井扇風機本体１は例えば５枚の羽根２とこの羽根を回転させる電動機３から構成される。図２に示すように天井扇風機本体１は、天井に固定する連結部４と、前記連結部４から垂直下方に吊り下げて配置するアウターロータ形の電動機３と、前記電動機３の外周側に配置したロータ３Ａに直結した羽根２と、前記電動機３のロータ３Ａの位置よりも内周側に配置した制御基板５とを備えたものである。
【００２７】
制御基板５には、前記電動機３の外周に近い側に周囲温度を検知する温度検知器６と、この温度検知器６の検知した温度をもとに前記電動機３の運転制御を行なう制御部７を配置する。
【００２８】
また、図３に示すように制御部７には、あらかじめ電動機３の運転時の温度上昇データを記憶させた温度上昇記憶部８と、前記温度検知器６の検知温度を温度上昇記憶部８のデータにより検知温度を補正して室内温度を推定する温度補正部９と、この温度補正部９の推定した室内温度から電動機３の運転回転数を決定して、この電動機３の運転を行なう駆動部１０とを備えたものである。
【００２９】
すなわち図２に示すように、天井扇風機は、天井に固定された連結部４と、この連結部４の下部に回転軸を垂直にして配置した電動機３と、この電動機３の下部には、周囲温度を検知する温度検知器６と、この温度検知器６の検知した温度により室温を推定して前記電動機３を駆動する制御部７とを備え構成する。
【００３０】
そして、電動機３と、ロータ３Ａと、制御基板５全体を覆うようにして電動機３の上側からアッパーカバー１１と、下側からデコレーションキャップ１２設けたものである。
【００３１】
すなわち、前記温度検知器６はデコレーションキャップ１２の内側に配置される。
【００３２】
また、温度補正部９は、電動機３の運転開始および運転停止からの経過時間と前記温度上昇データを対応させて温度検知器６で検知した温度を補正する構成としたものである。すなわち、制御部７は、天井扇風機の運転開始からの経過時間に応じて温度検知器６で検知した温度に補正を加え、かつ、運転停止からの経過時間に応じて温度検知器６で検知した温度に補正を加える温度補正部９を備えたものである。
【００３３】
さらに、制御部７は、運転停止から所定時間内は、温度検知を行なわないものである。
【００３４】
上記構成において、天井扇風機すなわち電動機３を運転すると、電動機３はアッパーカバー１１とデコレーションキャップ１２の内側に配置した構成となっているので、電動機３の温度上昇による影響は、デコレーションキャップ１２の内側で顕著に現れる。
【００３５】
温度検知器６は、デコレーションキャップ１２の内側に配置しているので、図４に示すように、その検知温度Ｔｓは、室内温度Ｔｒに対して電動機３の発熱の影響を受けながら上昇する。本実施形態では、図５のフローチャートに示すように、一定時間が経過（Ｓｔｅｐ１）すると、温度検知器６で周囲温度を検知（Ｓｔｅｐ３）する。そして、あらかじめ温度上昇記憶部８に電動機３の運転時の温度上昇データを記憶しておき、運転開始からの経過時間に応じて前記検知温度を補正して室内温度を推定することとなる（Ｓｔｅｐ４）。すなわち、温度検知器６の検知温度が、電動機３の発熱の影響を受けて室内温度よりも高く検知されるので、温度補正部９は、検知温度から温度上昇記憶部８の記憶した温度上昇値を差し引くことで、室内温度を推定して、駆動部１０は、この推定した室内温度に応じて電動機３の回転を切り替えることができる（Ｓｔｅｐ５）。
【００３６】
また、天井扇風機すなわち電動機３を停止させたときは、天井扇風機の羽根２の作用によって流れていた空気が停止することになる。そして、この影響を受けて、図４に示すように温度検知器６の検知温度は、室温が変化していないにもかかわらず急激に上昇する。そこで、本実施の形態では、制御部７は、電動機３の停止から所定時間ｔ１は、温度検知器６の検知温度を取り込まない（Ｓｔｅｐ２に示す）ことで、室内温度の推定が狂うことなく温度検知器６の検知温度から室内温度を容易に推定することができる。
【００３７】
そして、制御部７は、所定時間ｔ１が経過してから、温度補正部９の作用により、温度検知器６の検知温度と運転停止からの経過時間に応じてこの検知温度を補正して室内温度を推定することとなる（Ｓｔｅｐ６）。
【００３８】
また、図４に示すように、電動機３の運転を停止して、しばらくは、電動機３の温度が室内温度まで下がりきらない。例えば、図４のＡ点（運転停止からｔ１時間経過後）で再度電動機３の運転を開始した場合と、Ｂ点（図の例では運転停止からｔ１＋４×ｔ２時間経過後）で再度電動機３の運転を開始した場合とでは、温度検知器６の検知温度が異なる。このことから運転開始からの経過時間のみでは室内温度を推測することが困難である。そこで、本実施の形態のように、図５に示すＳｔｅｐ１から  Ｓｔｅｐ３、Ｓｔｅｐ６、Ｓｔｅｐ１を繰り返すこととなる。これにより制御部７は、温度補正部９により、運転停止後も運転停止からの経過時間による温度補正を行ないながら温度検知器６の検知温度に補正を加えて室内温度を推定し続ける。すなわち、前述の制御部７の構成により、次の運転開始後に運転開始からの経過時間による温度補正を容易にすることができる。
【００３９】
以上のようにして、天井扇風機本体１内に温度検知器６を配置しても制御部７は、電動機３の発熱の影響を補正して室内温度を検出することができ、室内温度に応じた天井扇風機の運転を行うこととなり、室内温度に応じて快適な空間を提供することができる。
【００４０】
すなわち、温度検知器６を天井扇風機本体１内に設けた簡単な構成にして、室内温度に応じて、その風量を適切に切り替えて運転させることができる。
【００４１】
なお、本実施の形態では、温度検知器６の検知温度に対して、温度上昇記憶部８にあらかじめ電動機３の運転時の温度上昇データをもとに温度補正部９により室内温度を推定していたが、あらかじめ電動機３の温度上昇データをもとにした補正値を用意して、運転開始または運転停止から一定時間毎に検知温度に補正値を加える構成としてもその作用効果に差はない。
【００４２】
（実施の形態２）
前述のように本発明の室内温度を推定する技術について説明した。以下本発明の天井扇風機の風速制御の実施の形態について説明をする。なお、理解を容易にするために実施の形態１と同一の構成については、その詳細な説明を簡略化する。
【００４３】
すなわち、図６に示すように、制御部７は、実施の形態１の温度補正部９と温度上昇記憶部８と駆動部１０とを備え、さらに、温度検知器６の検知温度を読み込む温度読み込み部１３と、後述する主制御部１４にあらかじめ電動機３の運転ノッチを設定する運転ノッチ設定部１５と、一定時間ごとの室内温度の推定値から室内温度の変化を推定（変化値ΔＴ）して電動機３の運転ノッチの補正値を算出するノッチ補正部１６とを備えたものである。
【００４４】
ノッチ補正部１６は、図６に示すように、例えば推定した室内温度の変化値と基準とする室内温度の推定値（一つ前の時間に検知した室内温度の推定値）とから電動機３の運転ノッチの補正値を算出するテーブルを有するものである。図６で変化値ΔＴは所定の値以下の変化値を「０」として扱っている。また、このテーブルは、室内温度が変化しても初期の体感温度を維持する風速をもとに電動機３のノッチの補正値を記憶したものである。
【００４５】
主制御部１４は、運転ノッチ設定部１５の運転ノッチに対して、ノッチ補正部１６の補正値を加えて駆動部１０へ運転ノッチ信号を送信する構成を有する。また、内部にクロックを有して一定時間ごとに読み込みトリガー信号を発生させて、温度検知器６の検知温度を温度読み込み部１３に読み込ませるとともに、温度補正部９に温度上昇記憶部８から補正値を送付させ、温度補正部９から室内温度の推定値を受け取る構成を備えている。また、温度補正部９の補正した温度を一定時間ごとに検知した室内温度の推定値Ｔｎと一つ前の時間に検知した室内温度の推定値Ｔｎ−１とを区別してノッチ補正部１６へ出力するものである。
【００４６】
上記構成において、主制御部１４は、運転開始の指令を受けると、まずは、図７のＳｔｅｐ１に示すように、温度読み込み部１３へ読み込みトリガー信号を出力する。そして、Ｓｔｅｐ２のように、温度読み込み部１３は、温度検知器６の検知温度を読み込む。温度補正部９は、主制御部１４の作用により温度上昇記憶部８から送付された補正値を使って温度読み込み部１３が読み込んだ検知温度に補正を加えることなる。そして、この補正されて検知温度は、運転開始時の室内温度の推定値Ｔ０として、主制御部１４に読み込まれることとなる。また、主制御部１４は、運転ノッチ設定部１５にてあらかじめ設定された運転ノッチを駆動部１０へ出力することとなり、Ｓｔｅｐ３に示すように、電動機３の運転を開始することとなる。
【００４７】
そして、Ｓｔｅｐ４の一定時間が経過すると、Ｓｔｅｐ５に示すように、主制御部１４から再び読み込みトリガー信号が温度読み込み部１３へ出力される。同様にして、主制御部１４は、一定時間後の室内温度の推定値Ｔｎを温度補正部９から読み込むこととなる。そして、運転開始時の室内温度の推定値Ｔ０と一定時間後の室内温度の推定値Ｔｎは、ノッチ補正部１６に送られ、ノッチ補正部１６は、Ｓｔｅｐ７に示すように、その差である変化値ΔＴを算出して、Ｓｔｅｐ８に示すように、運転開始時の室内温度の推定値Ｔ０と変化値ΔＴから電動機３のノッチの上げ下げ値を算出する。（図７ではＴ０の代わりにＴｎ−１となっている。Ｔｎ−１の初期値としてＴ０としている。）そして、この電動機３のノッチの上げ下げ値を主制御部１４へ送信することとなる。主制御部１４は、このノッチの上げ下げ値を現在の運転ノッチの加えて駆動部１０へ信号を送ることとなる。その結果、駆動部１０は室内温度の変化に応じて電動機３の運転ノッチを調整することとなる（Ｓｔｅｐ９）。以下、一定時間ごとに同様にして室内温度の推定値から室内温度の変化に応じて電動機の３の運転ノッチを調整していくことになる。このようにして、ノッチ補正部１６が、室内温度の推定値Ｔｎ−１と変化値ΔＴから電動機３のノッチの上げ下げ値を決定するので、図８に示すように、室内温度の変化にあわせて、天井扇風機の運転ノッチを調節することができ、あらかじめ運転ノッチ設定部１５で設定した運転ノッチに対して、室内温度が変化しても天井扇風機の回転を調節してその風速により体感温度を所定の幅内に維持することができる。特に、エアコンのスイッチを入れたときのように室内の温度が急激に下がった場合にもそれを検知して、天井扇風機の運転を行なうことができる。
【００４８】
なお、本実施の形態では、室内温度を推定して、その変化に応じて電動機３の運転ノッチの上げ下げを行なう制御を行なう事例を説明したが、温度検知器６を室内の壁付近に設けたて、この実施の形態の天井扇風機の風速制御の内容を実施することでも使用者の体感温度を所定の幅内に維持する調節が行える。
【００４９】
なお、本実施の形態では、運転ノッチ設定部１５で電動機３の運転ノッチをあらかじめ設定しておく構成を説明したが、使用者がこの設定を好み、すなわち好みの体感温度に合わせて設定する構成を有することで、より快適に運転を行うことができる天井扇風機を提供することができる。そして、運転の途中で、運転ノッチを変更した場合、図９に示すように運転中の運転ノッチをスライドさせて以降の運転ノッチを補正すればよい。
【００５０】
（実施の形態３）
以下、以下本発明の天井扇風機の風速制御について別の実施の形態を説明する。本実施の形態は、実施の形態２に対して、基準とする室内温度の推定値が異なる。すなわち、実施の形態２では、一つ前に検知した室内温度の推定値Ｔｎ−１を基準にして、最新の室内温度の推定値Ｔｎから差し引く演算を行い変化値ΔＴを求めていたが、本実施の形態では、変化値ΔＴが所定の値を超えたときに新たな基準値Ｔｄとして、次回からの室内温度の推定値の基準値としているところが異なる。
【００５１】
上記構成により、図１０のフローチャートに示すように、ノッチ補正部１６は、Ｓｔｅｐ７で新たに検知した室内温度の推定値Ｔｎから既に設定されている室内温度の推定値（基準値）Ｔｄを引くことで、室内温度の変化値ΔＴを検出する。そして、この変化値が所定の値以上の場合には、Ｓｔｅｐ８からＳｔｅｐ９へ進み、Ｔｄとこの変化値ΔＴから実施の形態２と同様に電動機３のノッチの上げ下げ値を算出することとなる。次に、主制御部１４はノッチ補正部１６からノッチの上げ下げ値を受け取り、Ｓｔｅｐ１０に示すように運転ノッチを補正することとなる。その結果として、Ｓｔｅｐ１１に示すように、電動機３の運転ノッチが切り替えられる。その後最新の室内温度の推定値Ｔｎは、基準値Ｔｄとして主制御部１４へ格納（更新）されることとなる（Ｓｔｅｐ１２）。
【００５２】
また、Ｓｔｅｐ８室内温度の変化値ΔＴが所定の値より小さい場合には、Ｓｔｅｐ４へ戻り、再び一定時間の経過を待つこととなる。
【００５３】
以上のようにして、変化値ΔＴが、所定の値以上となったときに、電動機３の運転ノッチを変更するとともに、室内温度の基準値Ｔｄを更新することで、室内温度を推定して、その変化に応じて電動機３の運転ノッチの上げ下げを行なう制御を行なう事例を説明したが、温度検知器６を室内の壁付近に設けたて、この実施の形態の天井扇風機の風速制御の内容を実施することでも使用者の体感温度を所定の幅内に維持する調節が行える。そして、本実施の形態の例では、実施の形態２の例に比べて、室内の温度がゆっくりと変化する場合にその変化に応じて天井扇風機の運転ノッチを追従させて調整することができ、より精度高く体感温度を維持して、快適な空間を創出することができる。
【００５４】
なお、図１０においてＳｔｅｐ８でＮｏという判断がなされたときに回帰先がＳｔｅｐ３とＳｔｅｐ４の間になっているが、回帰先をＳｔｅｐ４とＳｔｅｐ５の間とすることでＳｔｅｐ４で一定時間経過した後、変化値△Ｔが所定の値以上となり電動機３の運転ノッチを変更されるまで常時監視とすることもできる。
【００５５】
なお、以上の実施の形態のなかで、温度検知器６はデコレーションキャップ１２の内側に配置しているが、図１１示すように、デコレーションキャップ１２に温度検知器６に対向する位置にスリット１７を設けて、通気性を向上させることで、室内温度の変化に対する温度検知器６の応答性を向上させることができる。また、前記デコレーションキャップ１２を金属製（例えば熱伝導率の高いアルミニュウム）で形成することで、樹脂製とした場合に比べて、室内温度の変化を検知しやすくなり、室内温度の変化に対する温度検知器６の応答性を向上させることができる。
【産業上の利用可能性】
【００５６】
以上のように本発明は、天井に固定された連結部と、この連結部の下部に回転軸を垂直にして配置した電動機と、この電動機の下部には、周囲温度を検知する温度検知器とこの温度検知器の検知した温度により室温を推定して前記電動機を駆動する制御部とを備えた天井扇風機であり、制御部が温度検知器の検知した温度により室温を推定して電動機を駆動することで、簡単な構成で室温に応じて回転速度を調節することができる天井扇風機を供給するものである。従って、例えば、室温による運転制御を行なう天井扇風機としてきわめて有用なものとなる。
【図面の簡単な説明】
【００５７】
【図１】本発明の実施の形態１の天井扇風機の設置例を示す斜視図
【図２】同天井扇風機の構成図
【図３】同制御部の構成図
【図４】同温度検知器の検知温度を示す図
【図５】同制御部のアルゴリズムを示すフローチャート
【図６】同実施の形態２の天井扇風機の構成図
【図７】同制御部のアルゴリズムを示すフローチャート
【図８】同天井扇風機の運転例を示す図
【図９】同風量変更を行なった場合の運転例を示す図
【図１０】同実施の形態３の制御部のアルゴリズムを示すフローチャート
【図１１】本発明の実施の形態のデコレーションキャップおよび温度検知器の構成を示す図
【符号の説明】
【００５８】
１    天井扇風機本体
２    羽根
３    電動機
５    制御基板
６    温度検知器
７    制御部
８    温度上昇記憶部
９    温度補正部
１０  駆動部
１１  アッパーカバー
１２  デコレーションキャップ
１３  温度読み込み部
１４  主制御部
１５  運転ノッチ設定部
１６  ノッチ補正部
【図１】
2010180813.tif 000003
【図２】
2010180813.tif 000004
【図３】
2010180813.tif 000005
【図４】
2010180813.tif 000006
【図５】
2010180813.tif 000007
【図６】
2010180813.tif 000008
【図７】
2010180813.tif 000009
【図８】
2010180813.tif 000010
【図９】
2010180813.tif 000011
【図１０】
2010180813.tif 000012
【図１１】
2010180813.tif 000013